(57)【要約】【課題】  保守経歴を確実に登録することを可能にする保守経歴管理システムおよび保守経歴管理方法を提供する。【解決手段】  設備の運転状況が記録され、かつ、当該設備の運転引き継ぎのときに引き継がれる引継ぎ日誌を記憶しているファイルサーバ１１と、設備の保守経歴を登録するときに、この保守経歴に関連する検索用のキーワードを用いて、ファイルサーバ１１に記憶されている引継ぎ日誌を参照し、引継ぎ日誌から検索用のキーワードに該当する事項を抽出して保守経歴とし、設備管理システム２０の保守経歴データベース２２Ｂに保守経歴を登録するパソコン１２２とを備える。【選択図】  図１
2011018124.tif 000002
【特許請求の範囲】
【請求項１】
設備の運転状況および設備に対する作業状況が少なくとも記録され、かつ、当該設備の運転引き継ぎのときに引き継がれる引継ぎ日誌を記憶している記憶装置と、
設備の保守経歴を登録するときに、保守に関連する検索用のキーワードを用いて、前記記憶装置に記憶されている引継ぎ日誌を参照し、引継ぎ日誌から検索用のキーワードに該当する事項を抽出して保守経歴とし、この保守経歴を登録する処理装置と、
を備えることを特徴とする保守経歴管理システム。
【請求項２】
前記処理装置は、保守で行われている処置を表すキーワードを、検索用のキーワードとして用いることを特徴とする請求項１に記載の保守経歴管理システム。
【請求項３】
前記処理装置は、保守が必要となる原因を表すキーワードを、検索用のキーワードとして用いることを特徴とする請求項１または２に記載の保守経歴管理システム。
【請求項４】
前記処理装置は、キーワードに該当する事項を抽出した引継ぎ日誌を、保守経歴に添付することを特徴とする請求項１〜３のいずれか１項に記載の保守経歴管理システム。
【請求項５】
設備の運転状況および設備に対する作業状況が少なくとも記録され、かつ、当該設備の運転引き継ぎのときに引き継がれる引継ぎ日誌を記憶し、
設備の保守経歴を登録するときに、この保守経歴に関連する検索用のキーワードを用いて引継ぎ日誌を参照し、
引継ぎ日誌から検索用のキーワードに該当する事項を抽出して保守経歴とし、この保守経歴を登録する、
ことを特徴とする保守経歴管理方法。
【発明の詳細な説明】
【技術分野】
【０００１】
この発明は、各種の施設に設置されている設備等の保守経歴を作成して登録する保守経歴管理システムおよび保守経歴管理方法に関する。
【背景技術】
【０００２】
企業には各種の設備を維持管理するものがある。例えば、電力会社は、発電所や電気所を持ち、これらに設置されている各種の設備を維持している。電力会社は各種の設備を維持するために、これらの設備の保守を行う。この場合には、後日の検証等のために、保守の内容や作業日などを記録した保守経歴を登録して蓄積していく。保守経歴を登録する場合、保守担当者が作成した作業報告書の保守実績を基にして、担当者がコンピュータに保守の内容や作業日などを入力する。こうした手作業により、保守経歴が登録される。
【０００３】
一方、保守経歴を自動で作成するシステムもある（例えば、特許文献１参照。）。このシステムは、保守経歴を大分類、中分類、小分類に分けてデータベースに記録する。例えば、火力発電所を構成する設備は、その数が膨大である。このために、このシステムでは、設備を階層的に分類して管理する。この場合、大きな分類である設備グループを設け、タービン、ボイラ、発電機などのように分類する。また、設備グループの下に中程度の分類として設備を設け、タービンであれば高圧タービン、中圧タービン、低圧タービンのように分類する。さらに、設備の下に小程度の分類として部位を設け、高圧タービンであれば、動翼、静翼、軸のように分類している。こうした階層化により保守経歴を分類すると、蓄積した保守経歴の管理が容易になる。
【先行技術文献】
【特許文献】
【０００４】
【特許文献１】特開平８−２３４８０８号公報
【発明の概要】
【発明が解決しようとする課題】
【０００５】
ところで、保守経歴の登録を手入力で行う場合には、次の課題が発生する。つまり、保守担当者がコンピュータを操作して、保守経歴の登録作業を手作業で入力するので、入力忘れ等が発生し、確実な登録が困難である。
【０００６】
また、従来のシステムを用いて保守経歴を登録する場合には、次の課題が発生する。このシステムでは、保守経歴を大分類、中分類、小分類に分けて登録する。一方、設備に対する工事が必要となった場合、工事を外部に発注することがある。このときには、工事を請け負った企業には、自社と同様のシステムが設置されていない場合が多い。このために、工事を請け負った側の不慣れな担当者が保守経歴を分類するので、間違いなく保守経歴を作成して登録することが困難である。
【０００７】
この発明の目的は、前記の課題を解決し、保守経歴を確実に登録することを可能にする保守経歴管理システムおよび保守経歴管理方法を提供することにある。
【課題を解決するための手段】
【０００８】
前記の課題を解決するために、請求項１の発明は、設備の運転状況および設備に対する作業状況が少なくとも記録され、かつ、当該設備の運転引き継ぎのときに引き継がれる引継ぎ日誌を記憶している記憶装置と、設備の保守経歴を登録するときに、保守に関連する検索用のキーワードを用いて、前記記憶装置に記憶されている引継ぎ日誌を参照し、引継ぎ日誌から検索用のキーワードに該当する事項を抽出して保守経歴とし、この保守経歴を登録する処理装置とを備えることを特徴とする保守経歴管理システムである。
【０００９】
請求項１の発明では、設備の運転状況および作業状況が少なくとも記録され、かつ、設備の運転引き継ぎのときに次の担当者に引き継がれる引継ぎ日誌を利用する。つまり、記憶装置は引継ぎ日誌をあらかじめ記憶している。処理装置は、新規の保守経歴を登録するときに、保守に関連するキーワードを用いて、記憶装置に記憶されている引継ぎ日誌を参照する。そして、処理装置は、引継ぎ日誌からキーワードに該当する事項を抽出して保守経歴とし、この保守経歴を登録する。
【００１０】
請求項２の発明は、請求項１に記載の保守経歴管理システムにおいて、前記処理装置は、保守で行われている処置を表すキーワードを、検索用のキーワードとして用いることを特徴とする。
【００１１】
請求項３の発明は、請求項１または２に記載の保守経歴管理システムにおいて、前記処理装置は、保守が必要となる原因を表すキーワードを、検索用のキーワードとして用いることを特徴とする。
【００１２】
請求項４の発明は、請求項１〜３のいずれか１項に記載の保守経歴管理システムにおいて、前記処理装置は、キーワードに該当する事項を抽出した引継ぎ日誌を、保守経歴に添付することを特徴とする。
【００１３】
請求項５の発明は、設備の運転状況および設備に対する作業状況が少なくとも記録され、かつ、当該設備の運転引き継ぎのときに引き継がれる引継ぎ日誌を記憶し、設備の保守経歴を登録するときに、この保守経歴に関連する検索用のキーワードを用いて引継ぎ日誌を参照し、引継ぎ日誌から検索用のキーワードに該当する事項を抽出して保守経歴とし、この保守経歴を登録することを特徴とする保守経歴管理方法である。
【発明の効果】
【００１４】
請求項１および請求項５の発明によれば、引継ぎ日誌の運転状況および作業状況に記載されている事項を利用して、保守経歴を自動で作成するので、手入力による保守経歴の登録を不要にし、保守経歴を確実に登録して蓄積することができる。通常、引継ぎ日誌は、保守経歴を登録する部門とは異なる部門で作成されるので、保守経歴を登録する部門は、本システムを利用することにより、他部門で作成された引継ぎ日誌を有効に利用することを可能にする。
【００１５】
請求項２の発明は、保守で行われている処置を表すキーワード、例えば修理、補修、取替え、交換、調整、校正などを用いて引継ぎ日誌を検索するので、引継ぎ日誌に記述されている事項の中から、保守経歴の登録に必要とする事項を、保守で行われている処置を基準にして抽出する。これにより、保守経歴に必要とする事項を引継ぎ日誌から確実に抽出して、保守経歴に反映することができる。
【００１６】
請求項３の発明は、保守が必要となる原因を表すキーワード、例えば破損、漏洩、不良、焼失、切断、磨耗、劣化、ずれ等を用いて引継ぎ日誌を検索するので、引継ぎ日誌に記述されている事項の中から、保守経歴の登録に必要とする事項を、保守の原因を基準にして抽出する。これにより、保守経歴に必要とする事項を引継ぎ日誌から確実に抽出して、保守経歴に反映することができる。
【００１７】
請求項４の発明は、保守経歴に引継ぎ日誌を添付することにより、保守経歴の基になった引継ぎ日誌を参照することを可能にする。これにより、引継ぎ日誌と保守経歴との対比や、保守経歴の検証などが可能になる。
【図面の簡単な説明】
【００１８】
【図１】実施の形態１による保守経歴管理システムを示す構成図である。
【図２】図１のパソコンの構成を示すブロック図である。
【図３】設備体系データの一例を示す図である。
【図４】機器名称データの一例を示す図である。
【図５】機器仕様データの一例を示す図である。
【図６】保守経歴データの一例を示す図である。
【図７】引継ぎ日誌データの一例を示す図である。
【図８】検索キーワードデータの一例を示す図である。
【図９】引継ぎ日誌作成処理を示すフローチャートである。
【図１０】保守経歴登録処理を示すフローチャートである。
【図１１】保守経歴登録処理を示すフローチャートである。
【図１２】保守の一覧表を表す表示画面の一例を示す図である。
【図１３】保守経歴を表す表示画面の一例を示す図である。
【図１４】実施の形態２による保守経歴登録処理の一部を示すフローチャートである。
【発明を実施するための形態】
【００１９】
次に、この発明の実施の形態について、図面を用いて詳しく説明する。
【００２０】
（実施の形態１）
この実施の形態による保守経歴管理システムを図１および図２に示す。この実施の形態では、電力会社の火力発電所１０の保守経歴を記録する場合を例としている。図１の保守経歴管理システムは、火力発電所１０に設置されているファイルサーバ１１およびパソコン１２１、１２２と、例えば電力会社の管理部門に設置されている設備管理システム２０とを備えている。火力発電所１０のファイルサーバ１１とパソコン１２１、１２２とは、火力発電所１０に設置されている社内通信網１３によって、データ通信が可能な状態にある。さらに、火力発電所１０のパソコン１２１、１２２と設備管理システム２０とは、データ通信を可能にする通信網３０によって接続されている。
【００２１】
設備管理システム２０は、電力会社に設置されている各発電所の設備を管理するシステムである。この実施の形態では、電力会社の管理部門に設備管理システム２０が設置されているが、設備管理システム２０を各火力発電所に設置してもよい。設備管理システム２０は、設備関係データベース（ＤＢ）２１と保守関係データベース（ＤＢ）２２とを備えている。この他にも、設備管理システム２０は、図示を省略しているが、システムを運営するためのパソコンなどを備えている。設備管理システム２０の設備関係データベース２１は、設備体系データベース（ＤＢ）２１Ａと機器名称データベース（ＤＢ）２１Ｂと機器仕様データベース（ＤＢ）２１Ｃとで形成されている。また、設備管理システム２０の保守関係データベース２２は、機器名称データベース（ＤＢ）２２Ａと保守経歴データベース（ＤＢ）２２Ｂとで形成されている。
【００２２】
設備関係データベース２１の設備体系データベース２１Ａは、火力発電所や電気所などの設備体系を表すデータを、設備体系データとして記録している。この設備体系データの一例を図３に示す。図３の設備体系データには、１号発電ユニットおよび２号発電ユニットを構成する設備体系の一覧が記録されている。設備体系はガスタービンやボイラなどの大型の設備であり、設備体系データには、設備体系と共に設備体系を識別するための識別番号が記録されている。
【００２３】
設備関係データベース２１の機器名称データベース２１Ｂは、各発電ユニットの設備体系を構成する機器の名称を、機器名称データとして記録している。この機器名称データの一例を図４に示す。図４の機器名称データには、１号発電ユニットおよび２号発電ユニットなどを構成する設備体系の各機器の一覧が記録されている。機器名称データには例えばガスタービンの主蒸気リード管やドレイン弁などの機器名称と共に機器を識別するための識別番号が記録されている。
【００２４】
設備関係データベース２１の機器仕様データベース２１Ｃは、各機器の仕様を表すデータを、機器仕様データとして記録している。この機器仕様データの一例を図５に示す。図５の機器仕様データには、各機器の仕様、例えば機器が主蒸気リード管であれば、耐圧温度などのデータが記録されている。
【００２５】
保守関係データベース２２の機器名称データベース２２Ａは、各発電ユニットを構成する機器の名称を記録している。機器名称データベース２２Ａは設備関係データベース２１の機器名称データベース２１Ｂと同じであるので、機器名称データベース２２Ａの説明を省略する。機器名称データベース２２Ａは、機器名称データベース２１Ｂと共に、設備関係データベース２１と保守関係データベース２２とを関連付ける際に用いられる。
【００２６】
保守関係データベース２２の保守経歴データベース２２Ｂは、各発電ユニットの保守経歴データを記録している。保守経歴データには保守経歴が蓄積され、保守経歴には各発電ユニットでの保守の状態が記録されている。この保守経歴データの一例を図６に示す。図６の保守経歴データには、保守経歴を識別するための経歴番号が記録され、保守経歴の件名が記録されている。また、保守経歴データには、保守経歴を作成した作成日が記録されている。さらに、保守経歴データには、例えば事故や故障などのような保守経歴の区分が経歴区分として記録され、保守の内容が概要の欄に記録されている。
【００２７】
火力発電所１０のファイルサーバ１１は、各発電ユニットに関連する各種のデータを記録するコンピュータである。ファイルサーバ１１には、引継ぎ日誌データが記憶される。引継ぎ日誌データは引継ぎ日誌を表すデータであり、引継ぎ日誌は運転業務の引き継ぎを表している。この引継ぎ日誌データを図７に示す。図７の引継ぎ日誌には、次の運転担当者への連絡事項および安全指示が記録されている。また、引継ぎ日誌には、次の運転担当者への引継ぎ事項が記録されている。
【００２８】
こうした引継ぎ日誌は、火力発電所１０の運転担当者等によって作成される。具体的には、次の運転担当者に対する引継ぎ事項が発生する毎に、現在の担当者はパソコン（図示を省略）を操作して、発生した引継ぎ事項を引継ぎ日誌に記録していく。例えば、運転担当者が１号発電ユニットの運転を担当している場合に、引継ぎ日誌の引継ぎ事項には、１号発電ユニットの運転状況および１号発電ユニットに対する作業状況が記録されている。つまり、引継ぎ事項には、当日に発生した保守に関係する内容も含まれるので、当日に発生した保守に関係する内容は引継ぎ日誌に記録されていく。さらに、引継ぎ事項には、各作業などが項目別に記録されている。そして、各項目には、「１」、「２」などの数字が項目番号として順に付けられている。
【００２９】
ファイルサーバ１１が記録しているデータには、検索データがある。検索データは、設備管理システム２０の保守経歴データベース２２Ｂに保守経歴を登録するときに、パソコン１２２によって用いられるキーワードを表すデータである。この検索キーワードデータの一例を図８に示す。図８に示す検索キーワードデータには、保守の処理状況を表す各種のキーワード（以下、「処理状況キーワード」という）と、保守を行うことになった原因を表すキーワード（以下、「原因キーワード」という）とが記録されている。処理状況キーワードには、修理、補修、取替え、交換、調整、校正などがある。また、原因キーワードには、破損、漏洩、不良、焼失、切断、磨耗、劣化、ずれ、などがある。これらのキーワードの追加と削除は、例えばパソコン１２２から行うことができる。
【００３０】
火力発電所１０のパソコン１２１は、火力発電所１０の運転部門に設置され、運転担当者によって操作されるコンピュータである。この実施の形態では、特に、火力発電所１０の運転担当者が次の運転担当者に引き継ぐための引継ぎ日誌を作成する際に、パソコン１２１が操作される。また、引継ぎ日誌を作成するときに、必要とするデータなどは、パソコン１２１が設備管理システム２０などから読み出す。このために、パソコン１２１は、社内通信網１３を経てファイルサーバ１１にアクセス可能である。
【００３１】
パソコン１２１は、先の図２に示すように、処理部１２Ａ、記憶部１２Ｂ、入力部１２Ｃ、表示部１２Ｄおよび通信部１２Ｅを備えている。記憶部１２Ｂ、入力部１２Ｃ、表示部１２Ｄおよび通信部１２Ｅは、バス１１Ｆによって処理部１２Ａに接続されている。
【００３２】
パソコン１２１の入力部１２Ｃは、キーボードやマウスのような、担当者によって操作される入力装置である。入力部１２Ｃは入力されたデータを処理部１２Ａに送る。表示部１２Ｄはデータを表示するＬＣＤ（液晶ディスプレイ）等の表示装置である。表示部１２は、処理部１２Ａの制御によって、引継ぎ日誌などを表示する。通信部１２Ｅは、処理部１２Ａの制御によって、社内通信網１３を経てファイルサーバ１１とデータ通信をする。
【００３３】
記憶部１２Ｂは各種のデータを記憶する記憶装置である。記憶部１２Ｂが記憶するデータには、引継ぎ日誌を作成するための書式を表す書式データを含む。また、記憶部１２Ｂは、パソコン１２１の動作に必要とする各種のプログラムをあらかじめ記憶している。さらに、記憶部１２Ｂは、引継ぎ日誌を作成するための引継ぎ日誌作成プログラムを記憶している。
【００３４】
処理部１２Ａは、記憶部１２Ｂに記憶されているプログラムを実行する。処理部１２Ａが実行するプログラムには、引継ぎ日誌作成プログラムがある。パソコン１２１の入力部１２Ｃに引継ぎ日誌作成プログラム開始の指示が入力されると、処理部１２Ａは、引継ぎ日誌作成プログラムを実行して、図９に示す引継ぎ日誌作成処理を行う。この処理を開始すると、処理部１２Ａは、記憶部１２Ｂに記憶されている、引継ぎ日誌の書式データを読み出す（ステップＳ１）。この後、記憶部１２Ｂは、読み出した書式データを用い、表示部１２Ｄを制御して、引継ぎ日誌用の書式を表示する（ステップＳ２）。この後、入力部１２Ｃからの入力データを受け取ると（ステップＳ３）、この入力データを書式データに書き加えていく（ステップＳ４）。ステップＳ４の処理により、引継ぎ日誌に引継ぎ事項が記録される。ステップＳ４の後、処理部１２Ａは、データの入力が終了したかどうかを判断する（ステップＳ５）。データの入力が終了していなければ、処理部１２Ａは処理をステップＳ３に戻す。これらの一連の処理により、表示部１２Ｄに表示された書式に情報が書き加えられて、引継ぎ日誌が作成されていく。
【００３５】
一方、ステップＳ５で、データの入力が終了したと判断すると、処理部１２Ａは、通信部１２Ｅを制御して、作成された引継ぎ日誌データをファイルサーバ１１に送って記録し（ステップＳ６）、引継ぎ日誌作成処理を終了する。
【００３６】
こうして、パソコン１２１は、引継ぎ日誌作成処理により、引継ぎ日誌を作成してファイルサーバ１１に記録する。
【００３７】
火力発電所１０のパソコン１２２は、火力発電所１０の保守部門に設置され、保守担当者によって操作されるコンピュータである。つまり、パソコン１２２は、パソコン１２１とは別の部門に設置されて使用される。この実施の形態では、特に、火力発電所１０の保守担当者が保守経歴を登録する際に、パソコン１２２が操作される。パソコン１２２は、運転部門に設置されているパソコン１２１と同じ構成であるので、図２を用いてパソコン１２２を説明する。
【００３８】
パソコン１２２の記憶部１２Ｂは、パソコン１２１と同様に、各種のデータを記憶する記憶装置である。記憶部１２Ｂが記憶するデータには、保守経歴を作成するための書式を表す書式データを含む。また、記憶部１２Ｂは、パソコン１２２の動作に必要とする各種のプログラムをあらかじめ記憶している。さらに、記憶部１２Ｂは、保守経歴の記録を行うための保守経歴入力プログラムを記憶している。
【００３９】
パソコン１２２の処理部１２Ａは、パソコン１２１によって作成された引継ぎ日誌を基にして、保守経歴を登録する。保守経歴を登録するためのプログラムが保守経歴登録プログラムである。パソコン１２２の入力部１２Ｃに保守経歴登録プログラム開始の指示が入力されると、処理部１２Ａは、保守経歴登録プログラムを実行して、図１０および図１１に示す保守経歴登録処理を行う。処理部１２Ａは、保守経歴登録処理を開始すると、記憶部１２Ｂを参照して、保守経歴を作成するための書式を表す書式データを読み出す（ステップＳ２１）。この後、処理部１２Ａは、ファイルサーバ１１の引継ぎデータを参照して、当日の引継ぎ日誌を読み出すと共に、ファイルサーバ１１の検索データを参照して、検索データの処置状況キーワードおよび原因キーワードを読み出す（ステップＳ２２）。
【００４０】
ステップＳ２２が終了すると、処理部１２Ａは、読み出したキーワードを使って、同じく読み出した引継ぎ日誌を調べる（ステップＳ２３）。そして、引継ぎ日誌の記述事項の中にキーワードに該当する記述があるかどうかを判定する（ステップＳ２４）。先に述べたように、引継ぎ日誌には引継ぎ事項が記録されている。引継ぎ事項には当日の行われた作業、つまり修理、補修、取替え、交換、調整、校正などが記録され、次に引き継がれる作業が記録されている。さらに、引継ぎ事項には、作業が必要になった原因、つまり破損、漏洩、不良、焼失、切断、磨耗、劣化などが記録されている。ステップＳ２２で、処理部１２Ａは、キーワードに該当する作業の有無を判定している。
【００４１】
ステップＳ２４で該当する記述があると、処理部１２Ａは、この記述が記録されている項目全体の記述を抽出する（ステップＳ２５）。ステップＳ２５により、処理部１２Ａは、処理状況キーワードと原因キーワードに該当する事項を引継ぎ日誌から抽出している。ステップＳ２５の後、処理部１２Ａは、表示部１２Ｄを制御し、抽出した記述を表示すると共に、記述した設備機器に該当する設備コードを入力するための入力画面を表示する（ステップＳ２６）。この実施の形態では、設備体系を構成する各機器の識別番号が設備コードに該当する。なお、引継ぎ日誌には機器などの識別番号が記録されていない。
【００４２】
ステップＳ２６の後、処理部１２Ａは、設備コードを受け取ると（ステップＳ２７）、ステップＳ２５で抽出した項目の記述とステップＳ２７で受け取った設備コードとを、ステップＳ２１で読み出した保守経歴の書式データに書き込む（ステップＳ２８）。これにより、保守経歴には最初の作業内容が書き込まれる。ステップＳ２８が終了すると、処理部１２Ａは、ステップＳ２３と同じように、読み出したキーワードを使って、同じく読み出した引継ぎ日誌を調べる（ステップＳ２９）。
【００４３】
この後、処理部１２Ａは、引継ぎ日誌の記述事項の中にキーワードに該当する別の記述があるかどうかを判定する（ステップＳ３０）。別の記述があると判定すると、処理部１２Ａは、処理をステップＳ２５に戻す。処理部１２Ａは、この一連の処理により、引継ぎ日誌の引継ぎ事項に記録されている項目であって、当日に行われた作業と、次に引き継がれる作業をすべて抽出して、保守経歴の書式データに書き込んでいく。
【００４４】
一方、ステップＳ３０で別の記述がないと判定すると、処理部１２Ａは、設備管理システム２０の保守関係データベース２２にある保守経歴データベース２２Ｂに、保守経歴を登録する（ステップＳ３１）。このとき、処理部１２Ａは、設備管理システム２０の機器仕様データベース２１Ｃを参照して、該当する機器の仕様を添付する。また、処理部１２Ａは、ファイルサーバ１１を参照して、記述を抽出した引継ぎ日誌を添付する。ステップＳ３１の後、処理部１２Ａは、表示部１２Ｄを制御して、保守経歴の登録終了を表示する（ステップＳ３２）。また、処理部１２Ａは、ステップＳ２４でキーワードに該当する記述がないと判定したとき、表示部１２Ｄを制御して、保守経歴に登録する項目がないことを表示する（ステップＳ３３）。そして、ステップＳ３２またはステップＳ３３が終了すると、処理部１２Ａは保守経歴登録処理を終了する。
【００４５】
こうして、パソコン１２２は、保守経歴登録処理によって、設備管理システム２０の保守経歴データベース２２Ｂに保守経歴を登録する。
【００４６】
次に、保守経歴管理システムを用いた保守経歴管理方法について説明する。火力発電所１０の運転担当者は、引継ぎ日誌を作成するときに、運転部門に設置されているパソコン１２１を操作して引継ぎ日誌作成プログラムを起動する。これにより、パソコン１２１は引継ぎ日誌作成処理を行って、運転担当者はパソコン１２１を操作して引継ぎ日誌を作成する。そして、パソコン１２１は作成した引継ぎ日誌をファイルサーバ１１に記録する。
【００４７】
一方、火力発電所１０の保守担当者は、保守経歴を登録するときに、保守部門に設置されているパソコン１２２を操作して、保守経歴登録プログラムを起動する。これにより、パソコン１２２は保守経歴登録処理を行う。この処理を実行しているときに、パソコン１２２が設備コードを入力するための入力画面を表示するが、保守担当者は設備コードの一覧や、設備管理システム２０の機器名称データベース２１Ｂなどを参照して、該当する設備コードをパソコン１２２に入力する。パソコン１２２は、設備コードを受け取り、設備管理システム２０の保守経歴データベース２２Ｂに保守経歴を登録する。
【００４８】
この後、例えば保守担当者がパソコン１２２を操作して、設備管理システム２０の保守経歴データベース２２Ｂにアクセスすると、図１２に示す保守経歴データベース２２Ｂに記録されている保守経歴データを用いて、パソコン１２２の表示部１２Ｄに、例えば図１２に示す保守の一覧表を表示する。この後、担当者がパソコン１２２を操作して保守の項目を選択すると、パソコン１２２は、選択された項目、例えば図１３に示す保守経歴を表示する。このときに、保守経歴に添付されている機器の仕様などが参照される。
【００４９】
こうして、この実施の形態により、パソコン１２１で作成された引継ぎ日誌を利用して、パソコン１２２が保守経歴の登録を自動で行うので、設備管理システム２０の保守経歴データベース２２Ｂに保守経歴を確実に登録することができる。また、この実施の形態により、パソコン１２１で作成された引継ぎ日誌を利用して保守経歴を登録するので、火力発電所１０のパソコン１２２に対しては、プログラムの追加だけでよい。この結果、パソコン１２２の構成を大幅に変更するなどのような、ハードウエアの追加等を不要にして、保守経歴管理システムを容易に構築することができる。
【００５０】
また、この実施の形態により、引継ぎ日誌が保守経歴に添付されているので、後日、保守経歴の基になった引継ぎ日誌を例えば保守担当者が参照することを可能にする。これにより、引継ぎ日誌と保守経歴との対比を行って保守経歴の記述を確認し、また、保守作業を検証することなどが可能になる。
【００５１】
（実施の形態２）
この実施の形態では、実施の形態１の保守経歴登録処理を次のようにしている。なお、この実施の形態では、先に説明した実施の形態１と同一もしくは同一と見なされる構成要素には、それと同じ参照符号を付けて、その説明を省略する。
【００５２】
この実施の形態では、設備管理システム２０の機器名称データベース２１Ｂを利用する。つまり、この実施の形態では、パソコン１２２の処理部１２Ａは、実施の形態１のステップＳ２６とステップＳ２７の代わりに、図１４に示す処理を行う。処理部１２Ａは、ステップＳ２５で項目全体の記述を抽出すると、抽出した記述を構成する言葉をすべて抽出する（ステップＳ２６Ａ）。このステップＳ２６Ａの処理は、記述内容から言葉を切り出すための、専用のプログラムを利用することで実行される。ステップＳ２６の後、処理部１２Ａは、抽出した言葉と、機器名称データベース２１Ｂとを照らし合わせて、抽出した言葉に一致する機器名称の識別番号、つまり、キーワードに該当する設備コードを抽出する（ステップＳ２７Ａ）。
【００５３】
ステップＳ２７Ａが終了すると、処理部１２Ａは、実施の形態１と同じように、ステップＳ２８以降の処理を行う。なお、ステップＳ２８以降の処理については、図示を省略している。
【００５４】
こうして、この実施の形態により、パソコン１２１で作成された引継ぎ日誌を利用して、パソコン１２２が保守経歴の登録をすべて自動で行うので、設備管理システム２０の保守経歴データベース２２Ｂに保守経歴を確実に登録することができる。
【００５５】
以上、この発明の各実施の形態を詳述してきたが、具体的な構成は各実施の形態に限られるものではなく、この発明の要旨を逸脱しない範囲の設計の変更等があっても、この発明に含まれる。例えば、各実施の形態では、火力発電所１０を例として説明したが、原子力発電所、水力発電所、電気所等で行われる保守経歴の登録に対しても、この発明は適用可能である。さらに、ガスや水道などのための施設についても、保守経歴を登録する際に、この発明は適用可能である。
【符号の説明】
【００５６】
１０  火力発電所
１１  ファイルサーバ（記憶装置）
１２１、１２２  パソコン（処理装置）
２０  設備管理システム
２１  設備関係データベース
２２  保守関係データベース
【図１】
2011018124.tif 000003
【図２】
2011018124.tif 000004
【図３】
2011018124.tif 000005
【図４】
2011018124.tif 000006
【図５】
2011018124.tif 000007
【図６】
2011018124.tif 000008
【図７】
2011018124.tif 000009
【図８】
2011018124.tif 000010
【図９】
2011018124.tif 000011
【図１０】
2011018124.tif 000012
【図１１】
2011018124.tif 000013
【図１２】
2011018124.tif 000014
【図１３】
2011018124.tif 000015
【図１４】
2011018124.tif 000016